(57)【要約】      （修正有）【課題】農業用ビニルハウス、温室に植物体を濡らすことなく、安価で、手間がかからず誰にでも簡単に原液が補充でき、かつ、栄養価を付加して高い蒸散作用を促進し、ＰＨを調節して、長時間蒸散力を維持する食酢や木酢・竹酢やもみ酢等の蒸散装置を提供する。【解決手段】貝殻・甲殻・藻類・魚類・もみ殻・灰・木炭・インスタントコーヒー・クエン酸・ニンニクスライス・茶殻・コーヒーかす等の有機物のいずれかもしくは複数を、必要に応じて砕いたり混ぜ合わせたり層をつけたりして不織布等の網状の袋で包み、袋の口を麻紐等で縛り、その固体を皿状もしくは箱状の容器に入れ、その容器の隙間に食酢や木酢・竹酢・もみ酢等を、固体の３分の１から半分程度浸すように注ぎいれ、毛細管現象を利用し酢や木酢の蒸散を高めることを特徴とする農業用ビニールハウス農業用温室内簡易酢・木酢蒸散装置である。【選択図】図１
2006271359.tif 000002
【特許請求の範囲】
【請求項１】
貝殻・甲殻・藻類・魚類・もみ殻・灰・木炭・インスタントコーヒー・クエン酸・ニンニクスライス・茶殻・コーヒーかす等の有機物のいずれかもしくは複数を、必要に応じて砕いたり混ぜ合わせたり層をつけたりして不織布等の網状の袋で包み、袋の口を麻紐等で縛り、その固体を皿状もしくは箱状の容器に入れ、その容器の隙間に食酢や木酢・竹酢・もみ酢等あるいは複数の有機物を溶解抽出した食酢・木酢・竹酢・もみ酢等を、固体の３分の１から半分程度浸すように注ぎいれ、毛細管現象を利用し酢や木酢の蒸散を高めることを特徴とする農業用ビニールハウス農業用温室内簡易酢・木酢蒸散装置である。
【発明の詳細な説明】
【技術分野】
【０００１】  この発明は、農業用ビニールハウスならびに農業用温室内に食酢や木酢・竹酢やもみ酢等を効率よく栄養価を向上させ蒸散することに関する。
【背景技術】
【０００２】  従来は、酢や木酢等を農業用ビニールハウスならびに温室内に１０００倍から数百倍に水で薄め動力噴霧器で葉面散布したり、根元に散水していた。また、別冊現代農業２００４年４月号『減農薬の宝物  木酢・竹酢・もみ酢とことん活用読本』（社団法人農山漁村文化協会  発行）１９６ページでは「絶対にアブラムシが来ない！木酢液の使い方」として、図６に示すように、１．５ｌのペットボトル６に穴７をあけ、中にニンニク２かけ８とトウガラシ２個９、そして木酢１０を半分ほど入れてハウスの四隅と真中の列に５間（９ｍ）間隔で吊るす方法が紹介されている。さらに、これは中身が減っていくのに応じて、月二回くらい木酢・ニンニク・トウガラシを補充する必要があると記載されている。【０００３】加えて、この出願と同一人物の（整理番号）Ｐ０００００１（受付番号）２０４００２４０１７７（出願（申請）番号）特願２００４−６３１３１の「貝殻・甲殻・藻類のいずれかもしくは複数を用いてのミネラル補充剤」に明記している一実施形態での使用方法もある。それは、カニ殻細粒２０ｋｇと食酢５ｌをよく混ぜ合わせ、その後インスタントコーヒー粉末１０ｋｇと青のり１５ｋｇを加え、さらによく攪拌する。この混合物を不織布の袋に包み、袋の口を麻紐で結ぶ。これが、図７のカニ殻・食酢・インスタントコーヒー・青のりの混合物を袋詰めにした固体１１である。これを、農業用ビニールハウス１２や農業用温室内に吊るしたり、邪魔にならない場所に置いておく。【０００４】このように用いると、貝殻・甲殻・藻類の高濃度の養分が匂いの粒子となり、植物の葉の裏側にある気孔や植物体全体から吸収され、植物体を濡らすことがなく、その上、二ヵ月以上もの長期間にわたり臭気を拡散し続け、植物体を丈夫にする。水のいらない置くだけで手間のかからない葉面散布剤である。
【発明の開示】
【発明が解決しようとする課題】
【０００５】しかしながら、以上の技術によれば、葉面散布の場合、作業時間が長くかかったり、植物体を濡らすことの弊害も多く、機械化すればさらにコスト高が生じる。根元への散水の場合は、植物体を濡らすことは少なくなるが、根からの吸収の効率が低く、大量の酢や木酢等が必要となり、コスト高ならびに過湿による弊害も懸念される。【０００６】前述の「絶対にアブラムシが来ない！木酢液の使い方」の場合、木酢液の拡散が遅いため、農業用ビニールハウスならびに農業用温室内に多量に設置する必要があり、木酢液のＰＨが３前後の酸性であるため空気中に成分が浮遊した場合、酸性の霧状態をまねく危険性も考えられる。【０００７】さらに、このペットボトルの中に貝殻・甲殻・藻類を入れるという方法も考えられるが、毛細管現象を利用しての木酢の発散を高めるときの液体の量の調節が非常に難しい。発散性を高める木酢液の量の調節には、使用者の鋭い観察と日々の微調整が必要であり、誰でも簡単に用いることのできる方法ではない。加えて、ペットボトルでは発散面積が少ないので、発散力に欠ける。【０００８】また、（出願（申請）番号）特願２００４−６３１３１の「貝殻・甲殻・藻類のいずれかもしくは複数を用いてのミネラル補充剤」の場合は、農業用ビニールハウスや農業用温室の換気口の開く頻度や割合が高くなると効果が薄れたり、日照時間が長くなったり、渇きの激しい時期には、効力が落ちるという欠点がある。【０００９】  そこで、この発明は、安価で手間がかからず誰にでも使用でき、かつ、栄養価を付加して高い蒸散作用を促進し、ＰＨを調節して、長時間の蒸散力の維持を提供することを課題とする。
【課題を解決するための手段】
【０００１０】  以上の課題を解決するために、第一発明は、貝殻・甲殻・藻類・魚類・もみ殻・灰・木炭・インスタントコーヒー・クエン酸・ニンニクスライス・茶殻・コーヒーかす等の有機物のいずれかもしくは複数を、必要に応じて砕いたり混ぜ合わせたり層をつけたりして不織布等の網状の袋で包み、袋の口を麻紐等で縛り、その固体を皿状もしくは箱状の容器に入れ、その容器の隙間に食酢や木酢・竹酢・もみ酢等あるいは複数の有機物を溶解抽出した食酢・木酢・竹酢・もみ酢等を、固体の３分の１から半分程度浸すように注ぎいれ、毛細管現象を利用し酢や木酢の蒸散を高めることを特徴とする農業用ビニールハウス農業用温室内簡易酢・木酢蒸散装置である。
【発明の効果】
【０００１１】  第一発明によれば、第一に、液剤を補充する必要があるが、長時間にわたって高い蒸散力を維持することができる。第二に、袋の中の有機物と液剤との化学反応により、より栄養価の高い発散物を生み出すことができる。第三に、食酢や木酢・竹酢・もみ酢等の原液をそのまま蒸散させるとＰＨが酸性に偏っていて、植物体にマイナス作用が出る可能性があるが、この方法だと有機物を通って蒸散する過程において、酸性を中和することが可能である。【０００１２】第四に、酢や木酢・竹酢・もみ酢等を補充するにあたり箱の形状を有機物の固体の大きさよりも浅くしておけば、液剤を補充する際に多く入れすぎて蒸散力を落とすことなく、誰にでも簡単に酢の補充ができる。第五に、酢や木酢・カニ殻や海藻・魚等を使用した単品もしくは集合体の葉面散布剤を動力噴霧器で葉面散布する場合、１０００倍から数百倍で水に薄め用いていたが、この方法によれば、原液の微粒子が浮遊し植物体を濡らすことがなく、高い栄養価を継続的に吸収させることができる。【０００１３】第六に、今まで農業用ビニールハウスや農業用温室内は、病気や害虫を抑える管理が露地栽培に比べ難しく、また、その中の植物体は病気や害虫に対する抵抗力が低く栄養価も劣っていたが、この発明の方法を用いることにより、ビニールハウスや温室栽培の方が露地栽培よりも管理が容易になり、植物体も抵抗力が強く、栄養価も優れたものを生産することが可能となる。【０００１４】第七に、使用後の液剤を含んだ有機物の固体を、さらに新しい酢や木酢等に沈め有機物の溶解抽出を促進させた後、その酢や木酢等をこの装置の液剤として用いれば、安定して高い栄養価を含んだ蒸散物を生み出すことが可能となる。
【発明を実施するための最良の形態】
【０００１５】  この発明の一実施形態を、図１・図２に示す。  粒状カニ殻１ｋｇＢ・粉末カキ殻３ｋｇＣにインスタントコーヒー粉末５ｋｇＤを入れ攪拌し、青のり１５ｋｇＥを加え、さらによく混ぜ合わせる。この時１ｌ〜２ｌの食酢を噴きつけながら攪拌を進める。袋詰めしやすい粒粉体に仕上がったら、これを不織布の袋に３００ｇ〜４００ｇ入れ、袋の口を固く麻紐で結ぶ。これが、有機物を袋詰めした固体Ａである。７０個前後出来上がる。【０００１６】また、これより以前に液剤の製造も進めておく。▲１▼カニ殻４０ｋｇ・魚骨２０ｋｇ・カキ殻４０ｋｇ・インスタントコーヒー粉末３０ｋｇ・食酢２０ｌ〜４０ｌを混ぜ合わせ、漬け込み容器に一週間程度放置する。▲２▼▲１▼に、細かく砕いた乾燥ニンニクチップ１２ｋｇ・食酢１００ｌを入れ、よく攪拌し、さらに一週間程度放置して発酵分解を進める。▲３▼重ねて、同容器にシナモン１ｋｇ・トウガラシ１．２ｋｇ・青のり２ｋｇ・食酢８０ｌ〜１００ｌを加えて攪拌し、一週間程放置する。▲４▼▲１▼とは別容器にグローブ３ｋｇ・セイジ３ｋｇ・ペパーミント１．５ｋｇ・ブラックペッパー１ｋｇ・食酢８０ｌを入れ混ぜ合わせた後、二週間程放置する。▲５▼▲１▼▲２▼▲３▼と▲４▼をろ過容器に移して混ぜ合わせ、ろ過して液体成分のみを液剤として利用する。この液剤は２００ｌ程度出来上がる。【０００１７】上記のようにして製造した有機物を袋詰めした固体Ａを図２の箱状の容器３に複数並べ入れ、これを農業用ビニールハウスおよび農業用温室内に一反につき１個以上設置する。ここに、複数の有機物を溶解抽出した食酢Ｆを有機物を袋詰めした固体Ａの３分の１から半分が隠れる量を目安に容器から溢れないように注ぎ込み、毎日もしくは定期的に液剤を補充していく。【０００１８】３ヶ月〜半年使用した後の図１図２の有機物を袋詰めした固体Ａは、図５のように、新しい食酢や木酢等の原液Ｇに沈めて養分を食酢や木酢等の原液Ｇに溶解抽出した後、肥料や土壌改良剤として土に戻し、新しく出来た液剤は補充液として利用していく。【０００１９】  この発明の一実施形態を、図３・図４に示す。  不織布の袋１に乾燥スライスニンニク５０ｇＨを入れ、その上にインスタントコーヒー粒状８０ｇＩを重ねる。加えて、青のりを中心に粉末カキ殻・粒状カニ殻を混ぜ合わせた混合物２５０ｇＪを重ね入れ、麻紐２で袋の口を固く結ぶ。これが、図３の有機物を袋詰めした固体Ａである。これを、図４のように、カレー皿状の容器５に１個入れ、農業用ビニールハウスならびに農業用温室内に５０坪に１個以上設置する。ここに、食酢や木酢等の原液Ｇをこぼれないように注ぎ入れ、毎日もしくは定期的に原液を補充していく。【０００２０】使用した後の図３図４の有機物を袋詰めした固体Ａは、図５のように、新しい食酢や木酢等の原液Ｇに沈めて養分を溶解抽出させた後、肥料や土壌改良剤として用い、新しく養分を溶解抽出した食酢や木酢等の原液Ｇは補充液として利用していく。「実施形態の効果」【０００２１】  この実施形態によれば、図１図２のように用いると、もともと栄養価の高いものとして生産された酢を中心にした液剤が、混ぜ合わせることによって化学反応をある程度進めた固体を用いる��とにより、ここを通過して発散されていく過程で、非常に栄養価の優れた液剤に転化し発散することが出来るのである。酢に溶け込んだ高濃度の養分が匂いの微粒子となり発散され、植物の葉の裏側にある気孔や植物体全体から吸収され、植物体を濡らすことがない。その上、液剤を補充することにより、多量かつ長時間にわたって微粒子を拡散し続け、植物体を丈夫にし、栄養価と病気や害虫に対する抵抗力を高める。コストと手間の少ない安定した葉面散布剤となる。【０００２２】  また、図３図４のように用いると、あらかじめ養分を溶解抽出した溶剤を用いなくても下層部の乾燥スライスニンニクＨやインスタントコーヒー粒状Ｉに食酢や木酢等の原液Ｇが融合してさらにＰＨが酸性度を増し、中・上層部の青のりを中心に粉末カキ殻・粒状カニ殻を混ぜ合わせた混合物Ｊのアルカリ性物質と化学反応を起こし、中・上層部の青のりを中心に粉末カキ殻・粒状カニ殻を混ぜ合わせた混合物Ｊが持っている炭酸カルシウムの炭酸を空気中に放出したり、養分の分解ならびに放出が進む。【０００２３】食酢や木酢等の原液を直接使用したい場合には、液剤を注ぎ入れてから匂いの微粒子として養分が発散するまでの過程において、インスタントに化学反応と分解を起こし、高い栄養価のある液剤を発散させることが出来るのである。さらに、低コストで省力化した葉面散布剤となる。また、カレー皿状の容器５を使用することにより、設置場所が狭い場所でも可能となり、有機物を袋詰めした固体Ａとカレー皿状の容器５の密着度が高いため少量の液剤しか入らないので、置く場所が狭い場合や液剤を節約したい時には、カレー皿状の容器５は有効である。「他の実施形態」【０００２４】  図１図２の実施形態では、不織布の袋の中の固体は、粒状カニ殻・粉末カキ殻・インスタントコーヒー粉末・青のり・食酢の混合物であったが、他の実施形態では、粒状カキ殻の単体やもみ殻・木炭等の単体を用いたものでも良い。しかし、乾燥スライスニンニクのように酸性度の強い物質の場合には、アルカリ性の物質との混合もしくは併用を考えたほうがより良い。
【図面の簡単な説明】
【０００２５】
【図１】この発明の一実施形態を示す横から見たときの断面図である。
【図２】この発明の一実施形態を示す上から見たときの平面図である。
【図３】この発明の一実施形態を示す横から見たときの断面図である。
【図４】この発明の一実施形態を示す斜視図である。
【図５】この発明の一実施形態を示す横から見たときの断面図である。
【０００２６】
【図６】従来技術を示す、別冊現代農業２００４年４月号『減農薬の宝物  木酢・竹酢・もみ酢とことん活用読本』（社団法人農山漁村文化協会  発行）１９６ページより抜粋した図である。
【図７】従来技術を示す、（出願（申請）番号）特願２００４−６３１３１の「貝殻・甲殻・藻類のいずれかもしくは複数を用いてのミネラル補充剤」に明記している一実施形態を示す外観図である。
【符号の説明】
【０００２７】Ａ  有機物を袋詰めした固体Ｂ  粒状カニ殻Ｃ  粉末カキ殻Ｄ  インスタントコーヒー粉末Ｅ  青のりＦ  複数の有機物を溶解抽出した食酢
【０００２８】Ｇ  食酢や木酢等の原液Ｈ  乾燥スライスニンニクＩ  インスタントコーヒー粒状Ｊ  青のりを中心に粉末カキ殻・粒状カニ殻を混ぜ合わせた混合物１  不織布の袋２  麻紐
【０００２９】３  箱状の容器４  バケツ５  カレー皿状の容器６  ペットボトル７  穴８  ニンニク
【０００３０】９  トウガラシ１０  木酢１１  カニ殻・食酢・インスタントコーヒー・青のりの混合物を袋詰めにした固体１２  農業用ビニールハウス１３  イチゴの葉・花や果実
【図１】
2006271359.tif 000003
【図２】
2006271359.tif 000004
【図３】
2006271359.tif 000005
【図４】
2006271359.tif 000006
【図５】
2006271359.tif 000007
【図６】
2006271359.tif 000008
【図７】
2006271359.tif 000009